(57)【要約】      （修正有）【課題】照明ユニットを本体ユニットに取付ける際に、落下防止紐が勘合部に挟まることを抑制した照明器具を提供する。【解決手段】設置面を有する長尺状の本体ユニット１と、本体ユニットに取付可能であり、光源を備える照明ユニット２と、本体ユニットと照明ユニットを連結する落下防止紐３とを備え、照明ユニットが本体ユニットに取付けられていない状態において、取付け紐が本体ユニット及び照明ユニットに対して垂直となるように配置した場合、本体ユニットの中心位置と照明ユニットの中心位置が落下防止紐の長さ以内の範囲で本体ユニットの長手方向にずれた位置関係を有する。【選択図】図１
0003191755.tif 000002
【実用新案登録請求の範囲】
【請求項１】
設置面を有する長尺状の本体ユニットと、前記本体ユニットに取付可能であり、光源を備える照明ユニットと、前記本体ユニットと前記照明ユニットを連結する落下防止紐と、を備え、前記照明ユニットが前記本体ユニットに取付けられていない状態において、前記取付け紐が前記本体ユニット及び前記照明ユニットに対して垂直となるように配置した場合、前記本体ユニットの中心位置と前記照明ユニットの中心位置が前記落下防止紐の長さ以内の範囲で前記本体ユニットの長手方向にずれた位置関係を有することを特徴とする照明器具。
【請求項２】
前記本体ユニットの中心位置と前記照明ユニットの中心位置のずれが、前記落下防止紐の長さと略同等であることを特徴とする請求項１に記載の照明器具。 
【考案の詳細な説明】
【技術分野】
【０００１】
本考案は、ＬＥＤを光源として、主に天井面に設置される照明器具に関する。
【背景技術】
【０００２】
従来より、ＬＥＤ照明器具においてはＬＥＤ等の光源を有する照明ユニットと点灯回路等が取付けられる本体ユニットを落下防止紐で接続した照明器具が知られている（例えば、特許文献１参照）。
【先行技術文献】
【特許文献】
【０００３】
【特許文献１】特開２０１２−６４３９３号公報
【考案の概要】
【考案が解決しようとする課題】
【０００４】
しかしながら、特許文献１に係る従来のＬＥＤ照明器具の取付構造においては、照明ユニットを本体ユニットに取付ける際、勘合部に落下防止紐の弛んだ部分が挟まることがあり、取付けしづらいという問題があった。
【０００５】
本考案は、かかる問題点に鑑みてなされたものであり、照明ユニットを本体ユニットに取付ける際に、落下防止紐が勘合部に挟まることを抑制した照明器具を提供することを目的とする。
【課題を解決するための手段】
【０００６】
上記の課題を解決するために、本考案は、以下に掲げる構成とした。すなわち、設置面を有する長尺状の本体ユニットと、前記本体ユニットに取付可能であり、光源を備える照明ユニットと、前記本体ユニットと前記照明ユニットを連結する落下防止紐とを備え、前記照明ユニットが前記本体ユニットに取付けられていない状態において、前記取付け紐が前記本体ユニット及び前記照明ユニットに対して垂直となるように配置した場合、前記本体ユニットの中心位置と前記照明ユニットの中心位置が前記落下防止紐の長さ以内の範囲で前記本体ユニットの長手方向にずれた位置関係を有することを特徴とする照明器具が提供される。
【考案の効果】
【０００７】
本考案は以上のように構成されているので、照明ユニットを本体ユニットに取付ける際に、落下防止紐が勘合部に挟まることを抑制することができる。
【図面の簡単な説明】
【０００８】
【図１】本発明に係る照明器具の構成図である。
【図２】本発明に係る照明ユニットの断面構成図である。
【図３】本体ユニットから照明ユニットが取り外された状態を示す図である。
【図４】図３の状態から照明ユニットを本体ユニットに取付ける途中の状態を示す図である。
【考案を実施するための形態】
【０００９】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１０】
図１に示すように、本発明に係る照明器具１０は、安定器等の点灯回路（図示しない）を備えた本体ユニット１と、本体ユニット１に取付けられる照明ユニット２と、本体ユニット１と照明ユニット２を接続する落下防止紐３とを備えている。落下防止紐３は、本体ユニット１から照明ユニット２が外れた場合においても照明ユニット２が落下するのを防止する機能を有している。
【００１１】
本体ユニット１は、長尺状に形成されており、例えば図1に示した矢印の向きに天井等に設置するための設置面を有している。
【００１２】
照明ユニット２は図２に示すように、透光性カバー４内に、光源となる複数のＬＥＤ６を搭載した基板５が内蔵されている。
【００１３】
照明ユニット２は、図示しない取付金具等により、本体ユニット１の凹部７（照明ユニット設置領域）に取付け可能になっている。本体ユニット１に備えられる点灯回路とＬＥＤ６は配線等により電気的に接続されることで、ＬＥＤ６は光を発する。
【００１４】
照明ユニット２は、本体ユニット１と落下防止紐３によって接続されている。図３は、本体ユニット１から照明ユニット２が取り外された状態において、本体ユニット１と照明ユニット２を落下防止紐３によって接続した位置関係を示す図である。Ａ−Ａ線は、本体ユニット１の長手方向の中心線である。Ｂ−Ｂ線は、照明ユニット２の長手方向における中心線である。
【００１５】
照明器具１０は、図１及び図３に示すように、本体ユニット１と照明ユニット２の長手方向の長さは略等しい。すなわち、本体ユニット１の凹部７の長手方向の両端部に照明ユニット２の長手方向の両端部が隣接するように照明ユニット２は本体ユニット１に取付けられる。
【００１６】
一方で、照明ユニット２を本体ユニット１から取り外し、落下防止紐３が本体ユニット１及び照明ユニット２に対し垂直となった状態で吊るされた状態においては、照明ユニット２は本体ユニット１に対して、長手方向にずれた位置関係となっている。図３においては、照明ユニット２は本体ユニット１に対して全体的に左側にずれた位置関係である。言い換えると、本体ユニット１の中心線（Ａ−Ａ線）と照明ユニット２の中心線（Ｂ−Ｂ線）の位置は、距離Ｌ１だけずれた位置関係となっている。  なお、距離Ｌ１は落下防止紐３の全長以内の長さであるが、距離Ｌ１と落下防止紐３の全長を略等しくすると、照明ユニット２を本体ユニット１に取付ける際の落下防止紐３のたるみをより抑制することができる。
【００１７】
図４は、図３の状態から照明ユニット２を本体ユニット１に取付ける途中の状態を示したものである。照明ユニット２の長手方向の両端部を本体ユニット１の照明ユニット設置領域の長手方向の両端部に近づけるように照明ユニット２を本体ユニット１に近づけた状態である。このように、本体ユニット１の中心線（Ａ−Ａ線）と照明ユニット２の中心線（Ｂ−Ｂ線）が重なる方向（Ｌ１＞Ｌ２となる方向）に照明ユニット２を本体ユニット１に近づけていっても、落下防止紐３は、照明ユニット２に引っ張られ、弛みが抑制された状態を保持する。
【００１８】
このように、落下防止紐３は、照明ユニット２を本体ユニット１に取付ける際も、引っ張られた状態を保持するため、照明ユニット２と本体ユニット１との勘合部に落下防止紐３が挟まることを抑制できる。
【符号の説明】
【００１９】
１・・・本体ユニット、２・・・照明ユニット、３・・・落下防止紐、４・・・透光性カバー、５・・・基板、６・・・ＬＥＤ、７・・・凹部、１０・・・照明器具、        
【図１】
0003191755.tif 000003
【図２】
0003191755.tif 000004
【図３】
0003191755.tif 000005
【図４】
0003191755.tif 000006
【手続補正書】
【提出日】平成26年5月14日(2014.5.14)
【手続補正１】
【補正対象書類名】実用新案登録請求の範囲
【補正対象項目名】全文
【補正方法】変更
【補正の内容】
【実用新案登録請求の範囲】
【請求項１】
設置面を有する長尺状の本体ユニットと、
前記本体ユニットに取付可能であり、光源を備える照明ユニットと、
前記本体ユニットと前記照明ユニットを連結する落下防止紐と、を備え、
前記照明ユニットが前記本体ユニットに取付けられていない状態において、前記落下防止紐が前記本体ユニット及び前記照明ユニットに対して垂直となるように配置した場合、
前記本体ユニットの中心位置と前記照明ユニットの中心位置が前記落下防止紐の長さ以内の範囲で前記本体ユニットの長手方向にずれた位置関係を有することを特徴とする照明器具。
【請求項２】
前記本体ユニットの中心位置と前記照明ユニットの中心位置のずれが、前記落下防止紐の
長さと略同等であることを特徴とする請求項１に記載の照明器具。
【手続補正２】
【補正対象書類名】明細書
【補正対象項目名】０００６
【補正方法】変更
【補正の内容】
【０００６】
上記の課題を解決するために、本考案は、以下に掲げる構成とした。すなわち、設置面を有する長尺状の本体ユニットと、前記本体ユニットに取付可能であり、光源を備える照明ユニットと、前記本体ユニットと前記照明ユニットを連結する落下防止紐とを備え、前記照明ユニットが前記本体ユニットに取付けられていない状態において、前記落下防止紐が前記本体ユニット及び前記照明ユニットに対して垂直となるように配置した場合、前記本体ユニットの中心位置と前記照明ユニットの中心位置が前記落下防止紐の長さ以内の範囲で前記本体ユニットの長手方向にずれた位置関係を有することを特徴とする照明器具が提供される。